(57)【特許請求の範囲】
【請求項１】
種類が異なる複数のデータを含む複数のファイルを情報記録媒体に記録するデータ記録方法において、該方法は、
前記情報記録媒体に記録する画像データの種類ごとに、該画像データを分割し、該分割した分割データを作成する分割工程と、
前記分割データをそれぞれ同一の種類のデータに結合して、それぞれ前記画像データの種類ごとにファイルを作成する結合工程と、
該結合工程にて作成されたファイルを前記情報記録媒体に記録する記録工程とを有し、
前記分割工程は、前記種類ごとに画像再生が可能な分割データに前記画像データを分割することを特徴とするデータ記録方法。
【請求項２】
請求項１に記載のデータ記録方法において、該方法は、
前記分割工程にて分割された分割データに関連するパラメータを生成する生成工程を有し、
前記記録工程は、前記結合工程にて作成されたファイルに前記パラメータを付加して前記情報記録媒体に記録することを特徴とするデータ記録方法。
【請求項３】
請求項１に記載のデータ記録方法において、前記画像データは複数の種類の解像度を有した複数の画像データであり、
前記分割工程は、前記解像度ごとに再生可能に前記画像データを分割することを特徴とするデータ記録方法。
【請求項４】
請求項１に記載のデータ記録方法において、前記情報記録媒体は、連続する情報記録領域を有した回転記録媒体であり、
前記記録工程は、前記結合工程にて作成されたファイルを順次、前記情報記録領域に記録することを特徴とするデータ記録方法。
【請求項５】
請求項１に記載のデータ記録方法にて前記情報記録媒体に記録されたファイルの複数の分割データを再生するデータ再生方法において、該方法は、
前記情報記録媒体に同一種類ごとに記録された前記ファイルを順次読み出す読出工程と、
該読出工程にて読み出された前記ファイルの前記分割データを表示する表示工程とを含むことを特徴とするデータ再生方法。
【請求項６】
請求項５に記載のデータ再生方法において、前記表示工程は、前記分割データを順次表示することを特徴とするデータ再生方法。
【請求項７】
請求項５に記載のデータ再生方法において、前記表示工程は、前記分割データを同時に表示することを特徴とするデータ再生方法。
【請求項８】
種類が異なる複数のデータを含む複数のファイルを情報記録媒体に記録するデータ記録装置において、該装置は、
画像データを入力するデータ入力手段と、
該データ入力手段から入力された画像データを蓄積する記憶手段と、
該記憶手段に蓄積された画像データを前記情報記録媒体に書き込む書込手段と、
前記データ入力手段から入力された画像データを処理する制御手段とを有し、該制御手段は、
前記情報記録媒体に記録される画像データの種類ごとに、該画像データを分割し、該分割した分割データを作成する分割手段と、
前記分割データをそれぞれ同一の種類のデータに結合して、それぞれ前記画像データの種類ごとにファイルを作成する結合手段と、
該結合手段にて作成されたファイルを前記情報記録媒体に記録する記録制御手段とを有し、
前記分割手段は、前記種類ごとに画像再生が可能な分割データに前記画像データを分割することを特徴とするデータ記録装置。
【請求項９】
請求項８に記載のデータ記録装置において、前記制御手段は、前記分割手段にて分割された分割データに関連するパラメータを生成する生成手段を有し、
前記記録制御手段は、前記結合手段にて作成されたファイルに前記パラメータを付加して前記情報記録媒体に記録することを特徴とするデータ記録装置。
【請求項１０】
請求項８に記載のデータ記録装置にて前記情報記録媒体に記録されたファイルの複数の分割データを再生するデータ再生装置において、該装置は、
前記情報記録媒体に記録された分割データを読み取る読取手段と、
該読取手段にて読み出された分割データを表示する表示手段と、
前記読取手段にて読み取る分割データを選択する制御手段とを有し、
該制御手段は、前記情報記録媒体に記録された同一種類ごとの分割データを順次読み取る読取制御手段を含み、該読取制御手段にて読み出された複数の分割データを前記表示手段に表示させることを特徴とするデータ再生装置。
【請求項１１】
種類が異なる複数のデータを含む複数のファイルを情報記録媒体に記録するデータ記録方法において、前記データは複数の種類の周波数成分を有した複数のデータであり、該方法は、
前記情報記録媒体に記録するデータの種類として該データの周波数成分ごとに、該データを分割する分割工程と、
該分割工程にて分割されたデータをそれぞれ同一種類のデータに結合してファイルを作成する結合工程と、
該結合工程にて作成されたファイルを前記情報記録媒体に記録する記録工程とを有することを特徴とするデータ記録方法。
【請求項１２】
請求項１１に記載のデータ記録方法において、該方法は、前記分割工程にて分割されたデータに関連するパラメータを生成する生成工程を有し、
前記記録工程は、前記結合工程にて作成されたファイルに前記パラメータを付加して前記情報記録媒体に記録することを特徴とするデータ記録方法。
【請求項１３】
請求項１１に記載のデータ記録方法において、前記データは、音声を表わす音声データを含むことを特徴とするデータ記録方法。
【請求項１４】
請求項１１に記載のデータ記録方法において、前記情報記録媒体は、連続する情報記録領域を有した回転記録媒体であり、
前記記録工程は、前記結合工程にて作成されたファイルを順次、前記情報記録領域に記録することを特徴とするデータ記録方法。
【請求項１５】
請求項１１に記載のデータ記録方法にて前記情報記録媒体に記録されたファイルの複数のデータを再生するデータ再生方法において、該方法は、
前記情報記録媒体に記録された同一種類ごとのデータを順次読み出す読出工程と、
該読出工程に読み出された複数のデータを表示する表示工程とを含むことを特徴とするデータ再生方法。
【請求項１６】
請求項１５に記載のデータ再生方法において、前記表示工程は、前記データを順次表示することを特徴とするデータ再生方法。
【請求項１７】
請求項１５に記載のデータ再生方法において、前記表示工程は、前記データを同時に表示することを特徴とするデータ再生方法。
【請求項１８】
種類が異なる複数のデータを含む複数のファイルを情報記録媒体に記録するデータ記録装置において、前記データは複数の種類の周波数成分を有した複数のデータであり、該装置は、
前記データを入力するデータ入力手段と、
該データ入力手段から入力されたデータを蓄積する記憶手段と、
該記憶手段に蓄積されたデータを前記情報記録媒体に書き込む書込手段と、
前記データ入力手段から入力されたデータを処理する制御手段とを有し、該制御手段は、
前記情報記録媒体に記録されるデータの種類として該データの周波数成分ごとに、該データを分割する分割手段と、
該分割手段にて分割されたデータをそれぞれ同一種類のデータに結合してファイルを作成する結合手段と、
該結合手段にて作成されたファイルを前記情報記録媒体に記録する記録制御手段とを有することを特徴とするデータ記録装置。
【請求項１９】
請求項１８に記載のデータ記録装置において、前記制御手段は、前記分割手段にて分割されたデータに関連するパラメータを生成する生成手段を有し、
前記記録制御手段は、前記結合手段にて作成されたファイルに前記パラメータを付加して前記情報記録媒体に記録することを特徴とするデータ記録装置。
【請求項２０】
請求項１８に記載のデータ記録装置にて前記情報記録媒体に記録されたファイルの複数のデータを再生するデータ再生装置において、該装置は、
前記情報記録媒体に記録されたデータを読み取る読取手段と、
該読取手段にて読み出されたデータを表示する表示手段と、
前記読取手段にて読み取るデータを選択する制御手段とを有し、
該制御手段は、前記情報記録媒体に記録された同一種類ごとのデータを順次読み取る読取制御手段を含み、該読取制御手段にて読み出された複数のデータを前記表示手段に表示させることを特徴とするデータ再生装置。
【発明の詳細な説明】
【０００１】
【産業上の利用分野】
本発明は、画像ファイルなどのファイルを情報記憶媒体に記録するデータ記録装置に係り、とくに各ファイルが種類の異なる複数のデータより成る複数のファイルを情報記憶媒体に記録するデータ記録方法および情報記録媒体に記録されたデータを再生するデータ再生方法ならびに装置に関する。
【０００２】
【従来の技術】
この種の画像データ記録装置としては、たとえば特開平２−１７３９８４号公報、特開平４−３０１２６４号公報などに示されている。従来、同一種類の画像を表わす画像データであって、その画像の解像度などの種類が異なる複数のデータにて構成された画像データをディスク状の情報記憶媒体に記録する場合には、その画像データを含むファイルを情報記憶媒体の連続した領域に順次記録し、再生時にはこの連続した領域に記録された画像ファイルを順次読み出すようにしている。
【０００３】
【発明が解決しようとする課題】
しかしながら、従来のデータ記録方法では、たとえば画像の解像度に関係なく１つのファイルを情報記録媒体の連続した領域に記録していたので、複数のファイルにおける同一の解像度のインデックス画像を表わす画像データなどを連続して再生して表示したり、マルチ画面により同時に表示する場合に、各ファイルの所定解像度のデータが記録された領域に、とびとびにアクセスしなければならないので読み込み時間が長くなり、再生時間が長くなるという問題点があった。
【０００４】
また、ＤＣＴ（離散コサイン変換）などを用いて画像が複数の周波数成分に変換されて記録されている場合には、複数のファイルにおいて同一の周波数成分の画像データを読み込む際、各ファイルにアクセスしなければならないので読み込み時間が長くなる。
【０００５】
本発明は上記従来の問題点に鑑み、複数のファイルから同一種類のデータを読み込む時間を短縮するように画像ファイルを情報記録媒体に記録するデータ記録方法および、このようにして情報記録媒体に記録された画像ファイルを再生する画像データ再生方法ならびに装置を提供することを目的とする。
【０００６】
【課題を解決するための手段】
本発明は上記目的を達成するために、種類が異なる複数のデータを含む複数のファイルを情報記録媒体に記録するデータ記録方法において、この方法は、情報記録媒体に記録するデータの種類ごとに、このデータを分割する分割工程と、分割工程にて分割されたデータをそれぞれ同一種類のデータに結合してファイルを作成する結合工程と、結合工程にて作成されたファイルを情報記録媒体に記録する記録工程とを有することを特徴とする。
【０００７】
この場合、この方法は、分割工程にて分割されたデータに関連するパラメータを生成する生成工程を有し、記録工程は、結合工程にて作成されたファイルにパラメータを付加して情報記録媒体に記録するとよい。
【０００８】
上述のデータ記録方法にて情報記録媒体に記録されたファイルの複数のデータを再生するデータ再生方法において、この方法は、情報記録媒体に記録された同一種類ごとのデータを順次読み出す読出工程と、読出工程に読み出された複数のデータを表示する表示工程とを含むことを特徴とする。
【０００９】
種類が異なる複数のデータを含む複数のファイルを情報記録媒体に記録するデータ記録装置において、この装置は、データを入力するデータ入力手段と、データ入力手段から入力されたデータを蓄積する記憶手段と、記憶手段に蓄積されたデータを情報記録媒体に書き込む書込手段と、データ入力手段から入力されたデータを処理する制御手段とを有し、制御手段は、情報記録媒体に記録されるデータの種類ごとに、このデータを分割する分割手段と、分割手段にて分割されたデータをそれぞれ同一種類のデータに結合してファイルを作成する結合手段と、結合手段にて作成されたファイルを情報記録媒体に記録する記録制御手段とを有することを特徴とする。
【００１０】
この場合、制御手段は、分割手段にて分割されたデータに関連するパラメータを生成する生成手段を有し、記録制御手段は、結合手段にて作成されたファイルにパラメータを付加して情報記録媒体に記録するとよい。
【００１１】
上述のデータ記録方法にて情報記録媒体に記録されたファイルの複数のデータを再生するデータ再生装置において、この装置は、情報記録媒体に記録されたデータを読み取る読取手段と、読取手段にて読み出されたデータを表示する表示手段と、読取手段にて読み取るデータを選択する制御手段とを有し、制御手段は、情報記録媒体に記録された同一種類ごとのデータを順次読み取る読取制御手段を含み、読取制御手段にて読み出された複数のデータを表示手段に表示させることを特徴とする。
【００１２】
【作用】
本発明では、それぞれのファイルが同一種類のデータより成るように、ファイルが作成されて情報記憶媒体に記録されるので、同一種類の複数のデータを読み込む場合に、作成された１つのファイルから読み込むことができ、この読み込み時間を短縮し得る。
【００１３】
本発明ではまた、情報記憶媒体に記録される画像データの各ファイルが同一の解像度または周波数成分の画像データより成るようにファイルが作成されて情報記憶媒体に記録されるので、同一の解像度または周波数成分の複数の画像データを読み込む場合、作成された１つのファイルから所望の画像データを読み込むことができ、たとえば複数のファイルにおいて同一の解像度または周波数成分にて記録されているインデックス画像などを連続して再生して表示したり、マルチ画面により同時に表示する場合に再生速度を短縮し得る。
【００１４】
【実施例】
次に、添付図面を参照して本発明によるデータ記録再生装置の実施例を詳細に説明する。図１には本発明が適用される画像データ記録再生装置の一実施例が示されている。画像データ記録再生装置１０は、画像入力装置１２から入力される画像データを複数の解像度ごとに分割し、同一種類の解像度に分割された画像データを所定の解像度単位でディスクドライブ装置１６に装填された書換え可能なディスク媒体１４に記録する装置である。
【００１５】
画像データ記録再生装置１０を詳しく説明すると画像データ記録再生装置１０は、所定のカラー画像を表わす画像データを入力する画像入力装置１２を有している。画像入力装置１２は、たとえば、光ディスクや半導体メモリなどの情報記憶媒体に記録された画像データを読み取って、読み取った画像データを出力する情報再生装置が適用され、本実施例では、光ディスク１８に記録された画像データを読み出して、出力２０に出力する光ディスク再生装置が適用される。画像入力装置１２の出力はバス２０に接続されている。
【００１６】
画像入力装置１２に装填される光ディスク１８に記録された複数の画像データは、任意の画像を表わす複数の解像度の種類のデータにて構成された画像データであり、複数の解像度の画像データは、それぞれ光ディスク１８の連続した画像データ領域にそのディレクトリ情報と共に画像ファイルとして複数記録されている。
【００１７】
バス２０には、バス２０に現れたデータを蓄積し、蓄積されたデータをバス２０に出力する記憶装置２２が接続されている。記憶装置２２は、ＲＡＭ２２ａ、ＲＯＭ２２ｂおよび不揮発性ＲＡＭ２２ｃを有している。ＲＡＭ２２ａおよび不揮発性ＲＡＭ２２ｃは、後述する中央処理装置２４の作業エリアや、ディスク媒体１４に記録される画像データおよびそのディレクトリを表わすディレクトリ情報を一時的に記憶するためのエリアを有したメモリである。ＲＯＭ２２ｂは中央処理装置２４の動作を制御するためのプログラムが予め記憶されたメモリである。
【００１８】
バス２０に接続されたＣＲＴ  コントローラ２６の出力２７には、画像モニタ用の表示装置２８が接続され、表示装置２８はディスクドライブ１６に装填されたディスク媒体１４に記録される画像や、ディスク媒体１４から読み出されて再生された画像などが表示されるモニタ装置である。
【００１９】
ＳＣＳＩコントローラ３０を介してバス２０に接続されたディスクドライブ装置１６は、ディスク媒体１４に対してレーザ光によりデータの記録および再生を行なうためのヘッド３２を有し、ヘッド３２はディスク媒体１４の半径方向に移動して目的のトラックをシークする光ピックアップである。このディスク媒体１４は本実施例では、たとえば追記型光ディスクや書換え型光磁気ディスクなどの回転情報記憶媒体が適用される。ディスクドライブ装置１６により記録、再生される画像データとコマンドなどの制御信号とは、ＳＣＳＩコントローラ３０を介してバス２０に伝送される。
【００２０】
バス２０にはさらに、画像データ記録再生装置１０全体の動作の制御を行なう中央処理装置２４と、操作者からの指示情報を検出して対応する指示信号を中央処理装置２４に通知する操作部３４とが接続されている。本実施例における中央処理装置２４は、ディスク媒体１４のメモリ空間上で画像データおよびその画像データのディレクトリ情報より成る複数の画像ファイルをディスク媒体１４に追記する制御を行なう制御装置である。
【００２１】
詳しくは中央処理装置２４は、画像入力装置１２からバス２０に出力された画像データを所定の解像度ごとの種類のデータに分割する機能を有している。また、中央処理装置２４は、分割された画像データを同一の解像度ごとに結合する機能を有している。さらに中央処理装置２４は、分割されたそれぞれの画像データごとにファイルナンバ等のパラメータを付与する機能を有し、結合された画像データと、パラメータとを画像ファイルとしてディスク媒体１４に記録する。
【００２２】
操作部３４は、ディスク媒体１４に記録される画像ファイルのファイル名や画像ファイルを検索するためのキーワードなどの情報を含むディレクトリ情報を中央処理装置２４に入力する入力装置である。
【００２３】
このような構成において、光ディスク１８に記録されている画像データおよびそのディレクトリ情報より成る元の複数の画像ファイル（Ｉｍａｇｅ１〜Ｎ）をディスク媒体１４に記録する場合には、図２に示すように、ディスク媒体１４の内周側に配置された索引（ＴＯＣ）  領域２００  の外周側のディレクトリ領域２０２  に、各画像ファイル（Ｉｍａｇｅ１〜Ｎ）のディレクトリ情報がファイル毎に記録される。また、ディレクトリ領域の外周に配置された画像データ領域２０４  の内周側から外周方向に向けて順に、各画像ファイル（Ｉｍａｇｅ１〜Ｎ）のそれぞれの解像度ごとの複数の画像データが解像度ごとの画像ファイル１〜ｎとして記録される。
【００２４】
この場合、ディレクトリ領域２０２  には各ファイル１〜ｎのインデックス情報として１つのファイルに記録された画像データの解像度を表わす情報が記録される。また、１つのファイルは図３に示すように、たとえば解像度ｋの画像データが複数のセクタ１〜Ｌａｓｔに記録され、１つのセクタは、さらにヘッダ（Ｈｅａｄｅｒ）と、解像度を示すファイルナンバが記録されるサブヘッダ（ＳｕｂＨｅａｄｅｒ）  と、実際の画像データ（Ｕｓｅｒ  Ｄａｔａ）  と、エラー検出およびエラー訂正用のＥＤＣおよびＥＣＣ（Ｅｒｒｏｒ  Ｃｏｒｒｅｃｔｉｏｎ  Ｃｏｄｅ）  とにより構成される。
【００２５】
この画像データ記録動作を図４を参照してさらに詳細に説明すると、操作部３４からの指示信号に応動した中央処理装置２４の制御によって、光ディスク１８に記録された画像ファイル（Ｉｍａｇｅ１〜Ｎ）が読み出される。この場合、複数の解像度のデータから構成された各画像ファイルの画像データのそれぞれの解像度が認識され、各画像ファイルの画像データは解像度「１」〜「ｎ」毎の画像データに分割されて読み出される。読み出された画像データは、記憶装置２２のＲＡＭ２２ａに一旦蓄積される（ステップＳ１）。
【００２６】
次に、同一解像度のそれぞれの画像データが記憶装置２２にて結合され、解像度ごとの画像データ（Ｉｍａｇｅ１〜ｎ）が作成される（ステップＳ２）。作成された画像データのうち、それぞれの画像に対応するファイルナンバを示すパラメータが生成される（ステップＳ３）。この場合、ファイルナンバは、同じ元画像ファイル（Ｉｍａｇｅ１〜Ｎ）について同一の番号が割り当てられる。
【００２７】
次いで、同一の解像度毎に作成し直された画像データ（Ｉｍａｇｅ１〜ｎ）が記憶装置２２から読み出されてディスク媒体１４の画像データ領域に記録され、また、ファイルナンバ等のパラメータが各セクタのサブヘッダに記録される。このようにして、それぞれの解像度ごとの画像ファイル１〜ｎが画像データ領域２０４  のそれぞれのセクタに順次記録される（ステップＳ４）。
【００２８】
このようにしてディスク媒体１４に記録された同一解像度の複数の画像データを読み出す際には、中央処理装置２４は、ディレクトリ領域に記録されたディレクトリ情報に基づいて、所望する解像度の画像ファイルを読み出し、読み出した複数の画像データが表わす複数画像を表示装置２８に同時にまたは順次表示させる。また、ひとつの画像データを読み出す場合、中央処理装置２４は、サブヘッダに記録されたファイルナンバに従って、所望の解像度の画像ファイルを読み出す。
【００２９】
したがって本実施例によれば、元の各画像ファイル１〜Ｎの画像一覧を表わすディレクトリ画像を、同一のたとえば解像度ｋでディスク媒体１４に記録する場合、このディレクトリ画像を構成する複数の解像度ｋの画像データが１つの画像ファイルｋにまとめられて画像データ領域２０４  の連続した領域に記録されるので、このようにして記録されたディスク媒体１４からディレクトリ画像を再生する時間が短縮される。
【００３０】
次に、図５および図６を参照して本発明の第２の実施例を説明する。上記第１の実施例では同一の解像度毎の画像ファイルを作成してディスク媒体１４に記録したが、この第２の実施例は、ＤＣＴ（離散コサイン変換）などの処理によって、画像が周波数成分に変換された画像データが光ディスク１８に記録され、中央処理装置２４は同一種類の周波数成分ごとの画像ファイルを作成してディスク媒体１４に記録する点で第１の実施例とは異なる。その他の構成は図１に示した構成と同じでよいので説明を省略する。また、画像データの周波数成分を示すデータは図５に示すディレクトリ領域５０２  に記録される。
【００３１】
図６において、中央処理装置２４の制御により光ディスク１８に記録された元の各画像ファイル（Ｉｍａｇｅ１〜Ｎ）の周波数成分が認識され、各画像ファイルの画像データは周波数成分「１」〜「ｎ」毎の画像データに分割されて読み出される（ステップＳ１１）。
【００３２】
次いで、同一の周波数成分を有するそれぞれの画像データが結合され、周波数成分毎の画像データ（Ｉｍａｇｅ１〜ｎ）が作成される（ステップＳ１２）。さらに、作成された画像データのファイルナンバを示すパラメータが生成される（ステップＳ１３）。この場合も、同じ元画像１〜Ｎについて同一の番号のファイルナンバが割り当てられる。
【００３３】
次に同一の周波数成分毎に作成し直された画像データ（Ｉｍａｇｅ１〜ｎ）のそれぞれが画像データ領域５０４  の各セクタに順次記録され、ファイルナンバ等の情報がそれぞれのセクタのサブヘッダに記録される。このようにして、同一種類の周波数成分ごとの画像ファイル１〜ｎが画像データ領域５０４  に順に記録される（ステップＳ１４）。
【００３４】
したがって第２の実施例によれば、ある周波数成分の複数の画像データを読み出す場合、その周波数成分のファイルからそれぞれの画像データを読み出すので、ヘッド３２のシーク時間を短縮させることができ、このため所望の画像データの読み込み時間を短縮することができる。
【００３５】
また本発明によれば、解像度や周波数成分のみならず、階調を表わす多値データ、たとえば８ビットデータのビット位置毎に分割した値をそれぞれ集めて結合して、画像の階調ごとのファイルを作成してディスク媒体１４に記録してもよい。このように記録されたディスク媒体１４からは、たとえば、二値画像などの特定の階調の画像データを迅速に読み込むことができ、対応する画像を迅速に表示装置２０に表示させることができる。
【００３６】
また、画像データの所定領域ごとに画素データを分割してファイル化することにより、同一画素位置の画像データを迅速に読み込むことができる。さらに、上記第２の実施例は、画像データのみならず音声信号などのように、複数の周波数成分に分解可能なデータをディスク媒体１４に記録する場合にも適用される。また、上記実施例では、光ディスクなどの回転記録媒体としてディスク媒体１４を用いたが、これに限らず、ＲＡＭ  などの半導体メモリや光カードのような他の情報記憶媒体にも適用することができる。
【００３７】
【発明の効果】
以上説明したように本発明は、それぞれのファイルが同一種類のデータより成るように、ファイルが作成されて情報記憶媒体に記録されるので、同一種類の複数のデータを読み込む場合に、作成された１つのファイルから読み込むことができ、この読み込み時間を短縮することができる。
【００３８】
また、情報記憶媒体に記録される画像データの各ファイルが同一の解像度または周波数成分の画像データより成るようにファイルが作成されて、情報記憶媒体に記録されるので、同一の解像度または同一の周波数成分の複数の画像データを読み込む場合、作成された１つのファイルから所望の画像データを読み込むことができ、たとえば多くの複数のファイルにおいて同一の解像度または周波数成分にて記録されているインデックス画像などを連続して再生して表示したり、マルチ画面により同時に表示する場合に再生速度を短縮することができる。
【００３９】
さらに、同一画像を表わす画像データを画像単位で取り扱う他に、たとえば解像度の種類や周波数成分の種類の異なるデータ単位で、画像データを取り扱うことができるので、目的とする画像データへの複数のアクセス方法が可能となる。
【図面の簡単な説明】
【図１】本発明に係るデータ記録再生装置の一実施例を示すブロック図である。
【図２】図１に示したディスク媒体の記憶領域における画像ファイルの配置を示す図である。
【図３】図２に示した画像ファイルのひとつの詳細な構成を示す説明図である。
【図４】画像の解像度毎にファイルを作成する動作を説明するためのフローチャートである。
【図５】画像データが複数の周波数成分データより成る場合のディスク媒体における画像ファイルの配置を示す図である。
【図６】画像の周波数成分毎にファイルを作成する動作を説明するためのフローチャートである。
【符号の説明】
１０  画像データ記録再生装置
１２  画像入力装置
１４  ディスク媒体
１６  ディスクドライブ
２２  メモリ
２４  中央処理装置
２８  表示装置
【図１】
0003574189.tif 000002
【図２】
0003574189.tif 000003
【図３】
0003574189.tif 000004
【図４】
0003574189.tif 000005
【図５】
0003574189.tif 000006
【図６】
0003574189.tif 000007